(57)【要約】      （修正有）【課題】靴を履いていない状態でも自然に足を長くみせることができるソールを提供する。【解決手段】ソール１は、中央付近に配され上方が開口した凹部２と、凹部２から延在する通気路３と、通気路３と連通する通気口４と、通気性シート５とを備える。ソール１の上面１ａは、周縁が少し高くなっており、足にフィットしてソール１がずれにくい構成となっている。ソール１の下面１ｂは、踵部が丸みを帯びていて、ソール１を装着してソックスを履いた状態で足が自然な形状にみえる。また、下面１ｂが足裏のような形状であり、既存の靴も履きやすく自然である。【選択図】図１
0003192596.tif 000002
【実用新案登録請求の範囲】
【請求項１】
足裏に直接密着させて装着する、靴を履かなくとも足裏から外れにくいソールであって、
踵部が後方から前方にかけて一定の０．５ｃｍ〜５．０ｃｍの高さを有し、
前記踵部から前方にかけて高さが低くなっていて、
上面の周縁部が上方にせり上がり、
下面の周縁部が上下方向に丸みを帯びた形状であり、
サポーター又はソックスの内側に取り付けられる、
ソール。
【請求項２】
足裏に直接密着させて装着する、靴を履かなくとも足裏から外れにくいソールであって、
踵部が後方から前方にかけて一定の０．５ｃｍ〜５．０ｃｍの高さを有し、
前記踵部から前方にかけて高さが低くなっていて、
上面の周縁部が上方にせり上がり、
下面の周縁部が上下方向に丸みを帯びた形状であり、
周縁又は側面又は底面に端部が固定された、足に襷掛け可能なベルトを備える、
ソール。
【請求項３】
ソールの上面を覆う通気性シートと、
土踏まず部に上方又は下方が開口した凹部と、
前記凹部に配される乾燥剤又は保温剤又は消臭剤と、
を備える、
請求項１又は２に記載のソール。
【請求項４】
前記凹部において、
下方が開口している場合は、開口を塞ぐ蓋部材を備える、
請求項３に記載のソール。
【請求項５】
前記凹部から前方又は後方又は横方に延びる通気路を備える、
請求項３又は請求項４に記載のソール。
【請求項６】
上面が足裏に合わせた起伏を有する形状であり、
下面が足裏様の起伏を有する形状である、
請求項１乃至請求項５のいずれか一項に記載のソール。
【考案の詳細な説明】
【技術分野】
【０００１】
本考案は、足裏に直接装着するソールに関し、特に、足を長くみせることを目的とするソールに関する。
【背景技術】
【０００２】
従来、自身の足を長くみせる物として、底上げ靴が一般的である。底上げ靴とは、靴底の踵部分が高くなっており、これを履くことで通常の靴よりも履いた人の身長及び足を長くみせる機能をもった靴である。
【０００３】
また、底上げ靴以外では、同様の機能を持たせた中敷きが提案されている。この中敷きは、踵部分が高くなっており、これを靴の中に敷くことで、履いた人の身長及び足を長くみせるものである（例えば特許文献１参照）。
【０００４】
その他、身長及び足を長くみせるものではないが、脚長差のある患者のための脚長差矯正靴下が提案されている。この脚長差矯正靴下は、靴下本体Ｂと弾性片Ｃと軟性の充填物Ｆとを備え、当該弾性片Ｃは靴下本体Ｂ内部に、患者の足の裏から背面にかけて設置空間Ｅが形成されるように取り付けられ、当該設置空間Ｅに充填物Ｆが設置された靴下である（例えば特許文献２参照（第３図、第４図、第４−２図参照））。
【先行技術文献】
【特許文献】
【０００５】
【特許文献１】実用新案登録第３０６８７８５号公報
【特許文献２】実用新案登録第３１１３４６４号公報
【考案の概要】
【考案が解決しようとする課題】
【０００６】
従来の底上げ靴と特許文献１の中敷きは、靴を履いている間は身長及び足を長く見せられるが、靴を脱いでしまうと身長及び足を長く見せられず、また、身長及び足を長く見せていたことが露見するという課題がある。
【０００７】
また、特許文献２の脚長差矯正靴下は、靴下内において患者の足の裏から背面にかけて充填物が挿入される構成であるため、靴下を履いた患者の足が大きくなり、患者の履ける靴のサイズが大きくなるという課題がある。これでは患者が元々所有する靴を履けないおそれがある。
【０００８】
また、脚長差矯正の目的からすると、患者の片足のみに装着することを主とし、仮に両足に装着する場合も必ず両足に付ける脚長差矯正靴下の形が異なるもので本願とは趣旨及び目的は全く異なる。また、患者の片足に装着する場合、患者の足が左右で異なる大きさとなり、患者が履く靴のサイズも左右で異なり、不自然で見栄えが悪い。
【０００９】
また、充填物が軟性であるため、歩行の際に不安定であるし、他の人から足の形が変形したように見えるなど、不自然で見栄えも悪い。また、当該靴下は、弾性片や充填物が挿入されていて、通気性が悪く、靴下内部に空気がこもる。
【００１０】
本考案は、上記の課題に鑑み、靴を履いていない状態でも自然に足を長くみせることができるソールを提供することを目的とする。
【課題を解決するための手段】
【００１１】
本考案に係る一の態様のソールは、足裏に直接密着させて装着する、靴を履かなくとも足裏から外れにくいソールであって、踵部が後方から前方にかけて一定の０．５ｃｍ〜５．０ｃｍの高さを有し、前記踵部から前方にかけて高さが低くなっていて、上面の周縁部が上方にせり上がり、下面の周縁部が上下方向に丸みを帯びた形状であり、サポーター又はソックスの内側に取り付けられる。
【００１２】
この構成によれば、下面の周縁部が上下方向に丸みを帯びた形状であるため、ソールの下面の形状が人の足裏の形状に近く、このソールを足裏に装着してソックスやサポーターを履けば、靴を履いていない状態でも自然に足が長くみえる。また、このソールをソックスやサポーターに固定することで、ソックスやサポーター内でのソールのずれを防止できる。なお、ソックスまたはサポーターは、サポーター機能を有するソックスでもよい。
【００１３】
また、踵部が後方から前方にかけて一定の高さを有するので足が安定し歩きやすい。また、上面の周縁部が上方にせり上がっていて、足裏に直接密着させて装着するため、靴を履かなくとも足裏から外れにくい。
【００１４】
またこのソールは、足裏に直接密着させて装着する、靴を履かなくとも足裏から外れにくいソールであって、踵部が後方から前方にかけて一定の０．５ｃｍ〜５．０ｃｍの高さを有し、前記踵部から前方にかけて高さが低くなっていて、上面の周縁部が上方にせり上がり、下面の周縁部が上下方向に丸みを帯びた形状であり、周縁又は側面又は底面に端部が固定された、足に襷掛け又は山掛け可能なベルトを備える構成としてもよい。
【００１５】
この構成によれば、サポーター又はソックスがなくとも、ソールをしっかりと足に装着でき、ソールがずれにくい。したがって、見た目を気にしない家の中等での使用に比較的適している。また、サポーター又はソックスを履いた場合もよりずれにくい。なお、側面にベルトが通る切り欠き部をさらに備えてもよい。これにより、ソールを装着してソックス等を履いた時に、ベルトが目立ちにくい。
【００１６】
またこのソールは、ソールの上面を覆う通気性シートと、土踏まず部に上方又は下方が開口した凹部と、前記凹部に配される乾燥剤又は保温剤又は消臭剤と、を備えてもよい。この構成によれば、土踏まず部に凹部を備えるので、靴内の通気性がよく、靴内の蒸れを抑える。これにより、このソールを長時間装着しても快適に過ごすことができる。
【００１７】
ここで、通気性シートは、例えばメッシュ状のクッション材であり、例えばソールの上面全体に配する。この構成によれば、靴内の通気性が更に向上する。また、ソールの装着心地がよく、長時間の歩行でも疲れにくい。
【００１８】
また、凹部に乾燥剤又は保温剤又は消臭剤を配すれば、靴内の蒸れや匂いを抑えたり、冷えを抑えたり、長時間装着したときの不快感を抑える。これは長時間靴を履かなければならない人に最適である。また、乾燥剤、保温剤、消臭剤、のいずれか２種類又は３種類を配してもよい。
【００１９】
またこのソールは、前記凹部において、下方が開口している場合は、開口を塞ぐ蓋部材を備えることが好ましい。この構成によれば、上方に開口を有する場合は、通気性シートが開口を覆うので、開口が隠れるため足は安定するし、靴内の通気性が向上する。一方、下方に開口を有する場合、蓋部材を備えるので強度が向上するし、蓋部材によって形成される空間に乾燥剤、保温剤、消臭剤などを入れることができる。
【００２０】
またこのソールは、前記凹部から前方又は後方又は横方に延びる通気路を備えてもよい。これにより、靴内の通気性が更に向上する。
【００２１】
またこのソールは、上面が足裏に合わせた起伏を有する形状であり、下面が足裏様の起伏を有する形状である。この構成によれば、上面の形状が足裏に合うことで足裏とソールとの密着度が増し、ソールがより外れにくくなる。また、下面の形状が足裏様であることで、このソールを足裏に装着してソックスやサポーターを履けば、靴を履いていない状態でもさらに自然に足が長くみえる。また、ソールの下面が足裏様の形状であるので、既存の靴を自然に履くことができる。
【考案の効果】
【００２２】
以上のように、本考案に係るソールによれば、靴を履いていない状態でも足を長くみせることができる。
【図面の簡単な説明】
【００２３】
【図１】第一実施形態に係るソールの斜視図である。
【図２】第一実施形態に係るソールをソックスに取り付けた説明図である。
【図３】第一実施形態に係るソールの変形例Ａのソールの斜視図である。
【図４】第一実施形態に係るソールの変形例Ｂのソールの斜視図である。
【図５】第一実施形態に係るソールの変形例Ｃのソールをソックスに取り付けた説明図である。
【図６】第二実施形態に係るソールの斜視図である。
【図７】第二実施形態に係るソールの変形例Ａである。
【図８】第二実施形態に係るソールの変形例Ｂである。
【図９】第二実施形態に係るソールの変形例Ｃである。
【考案を実施するための形態】
【００２４】
以下、本考案に係る実施形態を図面に基づき説明するが、本考案はこの実施形態に限定されるものではない。
【００２５】
＜第一実施形態＞
図１は、本考案の第一実施形態に係るソール１の斜視図である。図１に示すように、ソール１は、中央付近に配され上方が開口した凹部２と、凹部２から前方に向けて延在する通気路３と、通気路３と連通する通気口４と、凹部２の開口を覆う通気性シート５とを備える。
【００２６】
ソール１は、高さを有するソールであり、踵部が最も高くなっていて、前方に向けて低くなっている。本実施形態の踵部の高さは約３ｃｍであり、これを装着すれば足が約３ｃｍ高くなる。踵部の高さは任意に設定してもよいが、安全性を考慮すると約５ｃｍまでが望ましい。
【００２７】
ソール１の上面１ａは、周縁が少し高くなっており、足にフィットしてソール１がずれにくい構成となっている。また、上面１ａは、足にフィットするよう、土踏まず部がせり上がった構成としてもよい。
【００２８】
ソール１の下面１ｂは、踵部および周縁部が上下方向に丸みを帯びている。これにより、ソール１を装着してソックスを履いた状態で、足が自然な形状にみえる。さらに、下面１ｂのつま先部が丸みを帯び、土踏まず部がせり上げた構成とすれば、足がより自然な形状にみえる。また、下面１ｂが足裏のような形状であるので、既存の靴も履きやすく自然である。
【００２９】
なお、ソール１の材質は、例えばゴムや発泡樹脂などである。ゴムなどの弾性材を使用すれば強度があり歩行の時にクッションにもなる。また、発泡樹脂を使用すれば、強度があり歩行の時にクッションにもなり、ゴムよりも軽量化できる。
【００３０】
また、ソール１の上面１ａには、通気性シート５が配されている。本実施形態の通気性シート５は、メッシュ状のクッション材である。これにより、通気性が向上する。また、ソールの装着心地がよく、長時間の歩行でも疲れにくい。なお、本実施形態の通気性シート５は、ソール１の上層に一体に配されていて、脱着できない仕様であるが、図３に示す通気性シート１５のように脱着可能な構成としてもよい。
【００３１】
凹部２は略直方体の空間である。なお、凹部２はこの形状に限られない。また、通気路３は、凹部２の壁面から前方、後方、横方に延びていて、凹部２と連通している。なお、通気路３は、この形状に限られず、例えば前方に向けて細くならない形状でもよい。また、通気路３は、凹部２と連通しない構成としてもよい。また、通気路３は、凹部２から前方にのみ延びる構成としてもよい。
【００３２】
また、ソール１の上面１ａには、通気路３と連通する通気口４が設けられている。通気口４は複数の孔で構成されているが、これに限られず、例えば通気路３と平行に伸びる一体の細長い開口としてもよいし、通気口４がない構成としてもよい。
【００３３】
また、凹部２には乾燥剤や消臭剤、保温剤を入れることができる。乾燥剤を入れれば湿気を取り除き、蒸れを防ぐことができる。消臭剤を入れれば匂いを取り除くことができる。保温剤を入れれば足の冷えを防ぐことができる。
【００３４】
図２はソール１をソックス１００に取り付けた説明図である。ソール１は上記の構成を備えるので、ソール１を装着し、ソックス１００を履いた状態で足が自然に長くみえる。また、ソール１をソックス１００に予め取り付けていてもよい。例えば、ソール１の下面とソックス１００の内側底面を面ファスナー６で取り付ける。また、面ファスナーにかえて、両面テープや接着によって取り付けてもよい。
【００３５】
（変形例Ａ）
図３はソール１の変形例Ａのソール１０の斜視図である。図３に示すように、ソール１０は、上面１０ａの土踏まず部がせり上がり、下面１０ｂのつま先部１０ｃが丸みを帯びて土踏まず部１０ｄがせり上がっている。また、凹部１１は、下方が開口した凹部である。また、凹部１１には開口を塞ぐ蓋部材１２が取り付けられている。また、凹部１１からは通気路１３が前方に向けて細くならない形状で延び、上面１０ａには通気路１３から上方に延びる細長い通気口１４が設けられている。また、ソール１０は、脱着可能な通気性シート１５を備えている。
【００３６】
（変形例Ｂ）
図４はソール１の変形例Ｂのソール２０の斜視図である。図４に示すように、ソール２０は、ソール１の構成から通気口４を排除し、踵部に上方が開口した第２の凹部２１と、ここに挿入された補強部材２２と、を追加している。これにより、荷重のかかる踵部が補強されるなど耐久性を向上できる。なお、補強部材２２には、例えば硬度の高いゴムなどを用いる。また、通気性シート５に代えて、凹部２の開口より少し大きい通気性シート２３としている。
【００３７】
（変形例Ｃ）
図５はソール１の変形例Ｃのソール３０をソックスに取り付けた説明図である。図５に示すように、ソール３０は、ソール１にベルト３１を設けたソールである。ベルト３１は、ソール３０の周縁部に２本設けられ、これらが交差して足に襷掛けする構造である。これにより、ソール３０が足からずれにくい。なお、襷掛けにかえて、これら２本のベルト３１を足に山掛けする構成としてもよい。
【００３８】
また、図示はしないが、２本のベルト３１の端部をソール３０の底面または側面に固定し、ソール３０の側面にベルト３１が通る切り欠きを設ける構成としてもよい。これにより、ソックス１００を履いた時に、ソックス１００にベルト３１の当たりが出にくく見栄えがよくなる。
【００３９】
＜第二実施形態＞
図６は、本考案の第二実施形態に係るソール４０の斜視図である。図６に示すように、ソール４０は、第一実施形態のソール１から、凹部２、通気路３、通気口４、通気性シート５を除して、ソールの素材を空隙のある通気性を有するものとし、上面４０ａから下面４０ｂにかけて貫通する貫通孔４１を有する構成としたものである。
【００４０】
ソール４０は、踵部に高さを有し、前方に向けて低くなる。本実施形態の踵部の高さは約４ｃｍであり、これを装着すれば足が約４ｃｍ高くなる。踵部の高さは任意に設定してもよいが、安全性を考慮すると約５ｃｍまでがよい。ソール４０の下面４０ｂは、踵部および周縁部が上下方向に丸みを帯びている。これにより、ソール４０を装着してソックス１００を履いた状態で、足が自然な形状にみえ、既存の靴も履きやすい。
【００４１】
（変形例Ａ）
図７は、ソール４０の変形例Ａのソール５０の斜視図である。図７に示すように、ソール５０は、土踏まず部５０ｃが上方にせり上がっていて、上面５０ａが足裏に合わせた起伏を有し、下面５０ｂが足裏様の起伏を有する。これにより、ソール５０の上面５０ａが足裏に密着しやすく、ずれや外れを抑制できる。また、下面５０ｂが足裏様の形状であるため、足にソール５０を装着してソックスやサポーターを履いた状態で、足が自然な形状にみえ、既存の靴も履きやすい。
【００４２】
（変形例Ｂ）
図８は、ソール４０の変形例Ｂのソール６０の斜視図である。図８に示すように、ソール６０は、ソール４０よりも長手方向に短く構成されている。ソール６０の長手方向の後端が足の踵の後端に位置し、前端が足の指の付け根に位置している。ソール６０は、踵部に高さを有し、前方に向けて低くなる。本実施形態の踵部の高さは約２ｃｍであり、これを装着すれば足が約２ｃｍ高くなる。踵部の高さは任意に設定してもよいが、安全性を考慮すると約５ｃｍまでがよい。
【００４３】
（変形例Ｃ）
図９は、ソール４０の変形例Ｃのソール７０の斜視図である。図９に示すように、ソール７０は、足裏の踵部に装着するソールである。ソール７０は、踵部に高さを有し、前方に向けて低くなる。
【００４４】
ソール７０の上面７０ａは、周縁が少し高くなっており、足の踵部にフィットしてソール７０がずれにくい構成となっている。ソール７０の下面７０ｂは、踵部が上下方向に丸みを帯びている。これにより、ソール７０を装着してソックス１００を履いた状態で、足が自然な形状にみえ、既存の靴も履きやすい。
【００４５】
以上のとおり、図面を参照しながら本考案の好適な実施形態を説明したが、本考案の趣旨を逸脱しない範囲内で、種々の追加、変更または削除が可能である。また、本実施形態はソールをソックスに適用する例を示しているが、ソックスにかえてサポーターに適用してもよい。
【符号の説明】
【００４６】
１  ソール
１ａ  上面
１ｂ  下面
２  凹部
３  通気路
４  通気口
５  通気性シート
６  面ファスナー
１０  ソール
１０ａ  上面
１０ｂ  下面
１０ｃ  つま先部
１０ｄ  土踏まず部
１１  凹部
１２  蓋部材
１３  通気路
１４  通気口
１５  通気性シート
２０  ソール
２１  第２の凹部
２２  補強部材
２３  通気性シート
３０  ソール
３１  ベルト
４０  ソール
４０ａ  上面
４０ｂ  下面
４１  貫通孔
５０  ソール
５０ａ  上面
５０ｂ  下面
６０  ソール
６０ａ  上面
６０ｂ  下面
７０  ソール
７０ａ  上面
７０ｂ  下面
１００  ソックス
【図１】
0003192596.tif 000003
【図２】
0003192596.tif 000004
【図３】
0003192596.tif 000005
【図４】
0003192596.tif 000006
【図５】
0003192596.tif 000007
【図６】
0003192596.tif 000008
【図７】
0003192596.tif 000009
【図８】
0003192596.tif 000010
【図９】
0003192596.tif 000011